(57)【要約】      （修正有）【課題】多成分混合型樹脂等の保管、および混合に用いられる包装袋であって、未混合成分が生じにくいスパウト付多室包装袋を提供する。【解決手段】包装袋１０は、一枚または複数のフィルム１１により形成された収納室１４と、この収納室１４の一部を開放可能に区画し、複数の収納小室をなす開放可能シール１４ａと、収納室内の被収納物を外部に取り出すためのスパウト１２であって、このスパウト１２は、少なくとも筒部１２２を有し、スパウト１２の筒部１２２の外周部の一部が、フィルム１１の外周部によって挟み込まれて融着されることで、フィルム素材１１に固定されるスパウト１２と、このスパウト１２の収納室側開口部１２４に設けられた封止部１２６とを有する。【選択図】図２
2011240930.tif 000002
【特許請求の範囲】
【請求項１】
一枚または複数のフィルムにより形成された収納室と、
前記収納室の一部を開放可能に区画し、複数の収納小室をなす開放可能シールと、
前記収納室内の被収納物を外部に取り出すためのスパウトであって、前記スパウトは、少なくとも筒部を有し、前記スパウトの前記筒部の外周部の一部が、前記フィルムの外周部によって挟み込まれて融着されることで、前記フィルムに固定されるスパウトと、
前記スパウトの収納室側開口部に設けられた封止部と
を有する、包装袋。
【請求項２】
更に、第１成分と、前記第１成分と混合することによって硬化する第２成分とを有し、前記収納小室は、第１収納小室と第２収納小室とを有し、前記第１成分が第１収納小室に、前記第２成分が第２収納小室に、それぞれ収納されていることを特徴とする、請求項１に記載の包装袋。
【請求項３】
前記封止部は、前記包装袋外からの外力により開封されることにより、前記被収納物を前記包装袋外に取り出すことが可能となることを特徴とする、請求項１または請求項２に記載の包装袋。
【請求項４】
前記封止部は、単層または複数の層を有するフィルムであって、前記収納室側開口部の端部に接合していることを特徴とする、請求項１から請求項３のいずれか一項に記載の包装袋。
【請求項５】
前記フィルムの、少なくとも前記収納室側開口部に面した層が熱可塑性樹脂であって、前記収納室側開口部への接合が、融着によってなされることを特徴とする、請求項４に記載の包装袋。
【発明の詳細な説明】
【技術分野】
【０００１】
本発明は、多成分混合型樹脂の各成分を分離収納し、かつ使用時に各成分を混合せしめる容器に関する。
【背景技術】
【０００２】
飲料をはじめとする様々な食品関連製品の容器として、スパウトの筒部の外周に設けられたフランジ部を、フィルムによって挟み込むようにしてスパウトを固定した、スパウト付包装袋を使用することは一般的に知られるところである。また、「流体を閉じ込めるための内部易壊シールを有するポリマーフィルム複室パウチ、および２種類の異なる香味料液体等を保管し分配するための再封可能な装具を備えた関連の飲料容器。」（特許文献１、図１）のようなスパウト付多室包装袋も提案されている。
【先行技術文献】
【特許文献】
【０００３】
【特許文献１】特表２００６−５１１４０９号公報
【発明の概要】
【発明が解決しようとする課題】
【０００４】
飲料の容器として、従来のスパウト付多室包装袋を用いた場合、保管中に飲料がスパウトの筒部内に流入したとしても、収納される飲料は、一般に比較的粘度が低いことから、スパウトが上方に位置するように容器を立てれば、筒部内の飲料は収納室内に流出することから、開封可能シールを開封し、香味料液体を飲料と混合させたとしても、筒部内に飲料が滞留することによる混合不良は生じにくい。
【０００５】
しかし、定められた適切な比率で主剤、硬化剤等の成分を使用直前に充分に混合する必要がある、エポキシ樹脂、ポリウレタン樹脂等の多成分混合型樹脂の、保存および混合用の容器として、そして、容器を移し変えること無く混合後の樹脂を溝や穴に注入することが可能とするためのノズルを容器に取り付けることが可能となる、このようなスパウト付多室包装袋を使用した場合においては、比較的粘度の高い成分が保管中にスパウトの筒部内に流入し、スパウトが上方に位置するように容器を立てたとしても、筒部内に流入した成分は筒部内に滞留しがちである。この状態で、開封可能シールを開封し各成分を充分に混合せしめても、未混合状態の成分が残ってしまう場合がある。
【０００６】
かかる場合において、包装袋内の樹脂をそのまま適用対象物に塗布、注入しても、未混合状態の成分は硬化せず、接着不良、外観不良、防水性能の低下などが生じる場合がある。
【０００７】
本発明は、上記課題に鑑みてなされたもので、多成分混合型樹脂の各成分を、一つの包装袋内に分離して収納し、保管し、混合し、かつ容器を移し変えること無く混合後の樹脂を溝や穴に注入することが可能であり、しかも未混合状態の成分が生じにくいスパウト付多室包装袋を提供することを目的としている。
【課題を解決するための手段】
【０００８】
本発明の一態様では、一枚または複数のフィルムにより形成された収納室と、この収納室の一部を開放可能に区画し、複数の収納小室をなす開放可能シールと、収納室内の被収納物を外部に取り出すためのスパウトであって、このスパウトは、少なくとも筒部を有し、スパウトの筒部の外周部の一部が、フィルムの外周部によって挟み込まれて融着されることで、フィルムに固定されるスパウトと、このスパウトの収納室側開口部に設けられた封止部とを有する、包装袋を提供する。
【発明の効果】
【０００９】
本発明の一態様にかかる包装袋は、スパウトの、収納室側開口部に、被収納物がスパウトの筒部内へ流入することを防止する封止部が設けられているため、スパウトに面する収納小室に収納された成分の、液溜まりとなるスパウトの筒部内への流入が、封止部によって妨げられ、スパウトの筒部内にその成分が滞留することが防止される。その結果、多成分混合型樹脂の各成分を、一つの包装袋内に分離して収納し、保管し、混合し、かつ、スパウトにノズルを取り付けることにより、容器を移し変えること無く混合後の樹脂を溝や穴に注入することが可能であり、しかも未混合状態の成分が生じにくいスパウト付多室包装袋を提供することができる。
【図面の簡単な説明】
【００１０】
【図１】本発明の一実施形態による、二成分混合型樹脂を収納した状態の包装袋およびノズルを示す図で、（ａ）平面図、（ｂ）側面図、（ｃ）斜視図である。
【図２】図１の包装袋およびノズルを示す図で、（ａ）図１（ｂ）矢印Ｘａ−Ｘａに沿った断面図、（ｂ）図１（ａ）矢印Ｘｂ−Ｘｂに沿った断面図、（ｃ）図１（ａ）矢印Ｘｃ−Ｘｃに沿った断面図、（ｄ）図１（ａ）矢印Ｘｄ−Ｘｄに沿った断面図である。
【図３】図１の包装袋のスパウトの平面図である。
【図４】（ａ）図３矢印Ｘｅ−Ｘｅに沿った断面図、（ｂ）封止部の変形例を示す断面図、（ｃ）封止部のまた別の変形例を示す断面図である。
【図５】（ａ）図３のスパウトを示す斜視図、（ｂ）スパウトの変形例を示す斜視図、（ｃ）スパウトのまた別の変形例を示す斜視図である。
【図６】図１の包装袋の開封可能シールを開封し、ノズルを取り付けた状態を示す図で、（ａ）平面図、（ｂ）斜視図である。
【発明を実施するための形態】
【００１１】
以下、添付図面を参照して、本発明の実施の形態を詳細に説明する。全図面に渡り、対応する構成要素には共通の参照符号を付す。
【００１２】
以下、図１〜図６を参照して本発明の実施の形態について説明する。図１（ａ）は、本発明の一実施形態によるエポキシ樹脂、ポリウレタン樹脂等の二成分混合型樹脂の、いわゆる主剤及び硬化剤等の成分を分離して包装する包装袋１０、およびスパウト１２に装着されるノズル１５の平面図を示す。図１（ｂ）は、包装袋１０およびノズル１５の側面図、図１（ｃ）は、包装袋１０およびノズル１５の斜視図を示す。
【００１３】
図１に示すように、包装袋１０は、スパウト１２の、筒部１２２下部の外周に設けられたフランジ部１２３を挟み込みながら、２枚のフィルム１１の外周部を融着により袋状に貼り合わせて、融着シール１３ａ、１３ｂ、１３ｃ、１３ｄとし、袋状に貼り合わせられた２枚のフィルム１１の間に形成される収納室１４を、開封可能シール１４ａによって、２つの収納小室１４１、１４２に区画することにより構成される。また、スパウト１２を介して、包装袋１０にはノズル１５を取り付けることができる。
【００１４】
２つの収納小室１４１、１４２のうち、スパウト１２が接する第一収納小室１４１には、包装袋１０に収納される、二成分混合型樹脂の、第一成分が収納され、スパウト１２には接しない第二収納小室１４２には、第一成分と混合することにより硬化する第二成分が収納される。いわゆる主剤、硬化剤のうち、どちらが第一成分となるかは、本実施形態においては特に問わない。
【００１５】
フィルム１１は、可撓性を有する透明または半透明な樹脂素材、例えば、厚さが、１００μｍ以上、または１０３μｍ以上、１３０μｍ以下、または２００μｍ以下のナイロン、ポリエチレン、ＰＥＴ等の単体またはこれらの複合素材からなる。この場合、収納小室１４１または１４２に収納する各成分を、着色などにより、それぞれ異なる色とした場合には、各成分を混合する際、混合状態を視認することができる。また、フィルム１１は、二成分混合型樹脂の特性や目的に応じて、着色した樹脂を使用したり、アルミニウム等の金属箔、蒸着金属膜等による、遮光・減光機能を有する層、湿気やガスの透過を遮断する層や印刷層等を有していても良い。
【００１６】
開封可能シール１４ａは、収納された二液混合型樹脂を保管、運搬する際には、各収納小室１４１および１４２に収納された各成分を確実に分離し、二成分混合型樹脂を使用する際には、容易に開封が可能なシールである。開封可能シール１４ａを開封することより、開封可能シール１４ａによって区画されていた各収納小室１４１および１４２は連通し一つの収納室１４となり、各収納小室１４１および１４２に分離収納されていた各成分は、互いに混合することができるようになる。
【００１７】
開封可能シール１４ａは、図２（ａ）および図２（ｂ）に示されるように、層間剥離が可能な多層フィルムテープ１４ｂを２枚のフィルム１１で挟み、多層フィルムテープ１４ｂとフィルム１１を融着することで得ることができる。多層フィルムテープ１４ｂには、例えば、ジェイフィルム株式会社のイージーピールフィルム（商品名）を使用することができる。なお、開封可能シール１４ａは、保管、運搬時には収納小室１４１および１４２を確実に形成しつつ、使用時には容易に開封が可能であれば、必ずしも多層フィルムテープ１４ｂを用いる必要は無く、層内で凝集剥離を生じるフィルムテープを多層フィルムテープ１４bに代えて使用したり、包装袋１０の外部からクリップ等を用いて収納室を区画することも可能である。また、図示の構成においては、開封可能シール１４ａは、収納室１４を横断するように１ヶ所設けられ、収納小室１４１および１４２を構成せしめているが、複数の、または、分岐する開封可能シール１４ａを設けることにより、３以上の収納小室を構成することも可能である。
【００１８】
開封可能シール１４ａは、収納小室１４１または１４２の正面および背面のほぼ中央部のフィルム１１を指で摘み、互いに引き広げることにより、多層フィルムテープ１４ｂが層間剥離を起こし、開封される。開封可能シール１４ａが開封されると、収納小室１４１および１４２が連通し収納室１４となり、分離収納されていた各成分が混合可能な状態となる。
【００１９】
スパウト１２は、包装袋１０に収納された二成分混合型樹脂を、混合後に包装袋１０から取り出すための注出口となる。図３に示されるとおり、スパウト１２は、上方に開放された略円筒型の部材であって、筒部１２２の上端には注出口１２５、上部外周面にはキャップ（図示せず）またはノズル１５を取り付けるためのネジ部１２１、下部にはフランジ１２３、下端には収納室側開口部１２４が配置され、更に、封止部として、収納室側開口部１２４を塞ぐように、封止フィルム１２６が、筒部１２２の下端面に融着されている。スパウト１２の筒部１２２は、各成分を混合した後の二成分混合型樹脂を、容易に取り出すのに充分な内径を有することが望ましい。具体的には、筒部１２２の内径はφ１０以上、またはφ１５以上とすることができ、φ２０以下、またはφ２５以下とすることができる。また、筒部１２２の長さは、３０ｍｍ以上、または３５ｍｍ以上とすることができ、４０ｍｍ以下、または４５ｍｍとすることができる。
【００２０】
フランジ１２３は、図１に示されるとおり、外周部が融着されることにより袋状となる２枚のフィルム１１の外周部に、図２（ｄ）に示されるとおり、フィルム１１に挟まれるように配置され、フランジ１２３の外周面とフィルム１１が隙間無く融着されることにより、フィルム１１に対してスパウト１２が固定される。なお、スパウト１２を、隙間無く、確実にフィルム１１に対して固定することができれば、図５（ｂ）、図５（ｃ）に示すように、フランジの有無、数、大小、形状は問わない。
【００２１】
封止部を構成する、封止フィルム１２６は、図２（ａ）、図４、図５（ａ）及び図６（ａ）に示されるように、スパウト１２の収納室側開口部１２４を塞ぐように筒部１２２の下端面に融着されており、スパウト１２に面する収納小室１４１に収納された成分が、未混合状態のまま筒部１２２内に流入することを防止する。これにより未混合状態の成分がスパウトの筒部１２２内に滞留せず、開封可能シール１４ａを開封して各成分を混合する際に、包装袋１０内に未混合状態の成分が生じることを防止する。開封可能シール１４ａを開封し、各成分を混合した後、ノズル１５の先端部やドライバ等、充分な強度を有する棒状の物品で、封止フィルム１２６を突き破ることで、包装袋１０は、外部に対して開封され、スパウト１２を通じて包装袋１０内の二成分混合型樹脂を取り出すことが可能となる。
【００２２】
封止フィルム１２６は、可撓性を有する透明または半透明な樹脂素材、例えば、厚さが、１００μｍ以上、または１０３μｍ以上、１３０μｍ以下、または２００μｍ以下のナイロン、ポリエチレン、ＰＥＴ等の単体またはこれらの複合素材からなり、各成分を収納した包装袋１０を保管する際、および開封可能シール１４ａを開封し成分を混合する際に、破損することがない強度が必要である。収納物の特性や目的に応じて、アルミニウム等の金属箔、蒸着金属膜等による、遮光・減光機能を有する層、湿気やガスの透過を遮断する層等を有しても良い。かかる多層フィルムを封止フィルム１２６として用いる場合には、スパウト１２の下端面に融着される関係上、少なくともスパウト１２に接する層は熱可塑性樹脂である必要がある。
【００２３】
なお、封止フィルム１２６に代えて、図４（ｂ）に示すように、液溜まりとなるような凹凸を収納室側の面に実質的に有さず、注出口１２５から充分な強度を有する棒等で押すことにより収納室１４内に落下し開封状態となる、封止キャップ１２７を、収納室側開口部１２４に嵌合させることによって、または、図４（ｃ）に示すように、スパウト１２の収納室側開口部１２４を塞ぎ、注出口１２５から充分な強度を有する棒等で突き破るにより開封状態となる、封止壁１２８をスパウト１２と一体的に形成すること等によっても、封止部とすることが可能であり、収納小室１４１に収納された成分が、未混合状態のまま筒部１２２内に流入、滞留することを防止することができる。
【００２４】
ノズル１５は、包装袋１０に収納された二成分混合型樹脂を、混合後に、溝、穴等に注入する際に用いられるテーパ管状の部材で、図１、図２に示されるように、上方のテーパ部１５１、下部にキャップ部１５２を有する。キャップ部１５２の内面には、スパウト１２のネジ部１２１と嵌合することによりスパウト１２の注出口１２５に固定される、ネジ部１５３を有する。
【００２５】
二成分混合型樹脂の各成分の包装袋１０への収納は、例えば、収納室側開口部１２４を覆うように封止フィルム１２６が融着されたスパウト１２のフランジ１２３、および多層フィルムテープ１４ｂを、２枚のフィルム１１に挟み込みながら融着シール１３ａ、１３ｂ、１３ｃおよび開封可能シール１４ａを形成することで、融着シール１３ｄが開放された包装袋１０を得られる。この包装袋１０の収納小室１４１には第１の成分を、収納小室１４２には第２の成分をそれぞれ注入後、融着シール１３ｄを形成することにより行なうことができる。
【００２６】
包装袋１０に収納された二成分混合型樹脂を使用する際には、まず、収納小室１４１または１４２の正面および背面のほぼ中央部のフィルム１１を指で摘み、互いに引き広げると、多層フィルムテープ１４ｂに層間剥離が生じ、開封可能シール１４ａが開封され、収納小室１４１および１４２が連通し収納室１４となり、分離収納されていた各成分が混合可能な状態となる。そして、この状態で包装袋１０を手で揉み、各成分を充分に混合させた後に、ドライバ等の充分に強度を有する棒を注出口１２５に差し込み、封止フィルム１２６を突き破ることで、注出口１２５を通じて包装袋１０から二成分混合型樹脂を取り出すことができる。この際、図６に示すように、スパウト１２にノズル１５を取り付ければ、溝や穴等に対して二液混合型樹脂を注入することが容易となる。
【符号の説明】
【００２７】
１０      包装袋
１１      フィルム
１２      スパウト
１３ａ、１３ｂ、１３ｃ、１３ｄ      融着シール
１４      収納室
１４ａ    開封可能シール
１４ｂ    多層フィルムテープ
１５      ノズル
１２１    ネジ部
１２２    筒部
１２３    フランジ
１２４    収納室側開口部
１２５    注出口
１２６    封止フィルム
１２７    封止キャップ
１２８    封止壁
１４１    第１収納小室
１４２    第２収納小室
１５１    テーパ部
１５２    キャップ部
１５３    ネジ部
【図１】
2011240930.tif 000003
【図２】
2011240930.tif 000004
【図３】
2011240930.tif 000005
【図４】
2011240930.tif 000006
【図５】
2011240930.tif 000007
【図６】
2011240930.tif 000008